(57)【要約】【課題】追焚き運転時などに洗濯機に追焚き湯が流れ出してしまうことのない浴槽水活用装置を提供する。【解決手段】浴槽２内の水を吸引できる取水口３と、この取水口３と追焚き可能な給湯器５を繋ぐ往復の配管９ａ，９ｂ，１０にて構成された循環経路８を備え、この循環経路８の戻り配管９ａ，９ｂの途中に、浴室１に隣接する洗濯室６に開口する給水口７を設けるとともに、この給水口７へ水を流す経路と循環経路８へ水を流す経路を切り替える切替機構部２０を設けて構成する。【選択図】        図１
2004308177.tif 000002
【特許請求の範囲】
【請求項１】
浴槽内の水を吸引できる取水口と、該取水口と追焚き可能な給湯器を繋ぐ往復の配管にて構成された循環経路を備え、該循環経路の途中に、浴室に隣接する洗濯室に開口する給水口を設けるとともに、該給水口へ水を流す経路と前記循環経路へ水を流す経路とを切り替える切替機構部を設けたことを特徴とする浴槽水活用装置。
【請求項２】
前記切替機構部は、前記循環経路のうち、取水口から給湯器へ水が流れる戻り側の経路に設けられていることを特徴とする請求項１に記載の浴槽水活用装置。
【請求項３】
前記切替機構部は、浴槽内の水の通常使用時の水位よりも上側に設置されていることを特徴とする請求項１または請求項２に記載の浴槽水活用装置。
【請求項４】
前記切替機構部を操作する切替操作部が浴室外に設けられていることを特徴とする請求項１に記載の浴槽水活用装置。
【請求項５】
浴槽内の水を吸引できる取水口と、該取水口と追焚き可能な給湯器を繋ぐ往復の配管にて構成された循環経路を備え、該循環経路の途中に、浴室の洗い場に開口する散湯口を設けるとともに、該散湯口へ水を流す経路と前記循環経路へ水を流す経路とを切り替える切替機構部を設けたことを特徴とする浴槽水活用装置。
【請求項６】
前記切替機構部を操作する切替操作部が浴室外に設けられていることを特徴とする請求項５に記載の浴槽水活用装置。
【請求項７】
前記切替機構部は、浴槽内の水の通常使用時の水位よりも下側で、浴室洗い場面より上側に設置されていることを特徴とする請求項５に記載の浴槽水活用装置。
【請求項８】
前記散湯口が、浴室と隣室を繋ぐ部分のドア部材に設けられていることを特徴とする請求項５に記載の浴槽水活用装置。
【請求項９】
前記散湯口が、浴室ドアの横に取り付け可能なドア横プレートに設けられていることを特徴とする請求項５に記載の浴槽水活用装置。
【請求項１０】
前記切替機構部が、３方向に切り替え可能に構成されていることを特徴とする請求項１または請求項５に記載の浴槽水活用装置。
【発明の詳細な説明】
【０００１】
【発明の属する技術分野】
この発明は、浴槽内の水を、洗濯用あるいは洗い場を暖めるために活用することのできる浴槽水活用装置に関するものである。
【０００２】
【従来の技術及び発明が解決しようとする課題】
発明者は既に、特願２００２−３６３１７１号として、往復の追焚き配管経路途中に、浴室に隣接する洗濯室に開口する給水口を設けた浴槽残り湯回収装置を出願しているが、このような装置において、常に洗濯室への給水口が追焚き配管経路と繋がったままであると、追焚き運転時に洗濯機に追焚き水が流れていってしまうという問題点があった。
また従来、特許参考文献１，２に開示されているように、追焚き循環経路から浴槽水を洗い場に導くために、切替弁と散湯口を繋ぐ散湯経路を設けたものがあるが、切替弁と散湯口を繋ぐ散湯経路用の配管内を清掃する手段がなく、この散湯経路用配管内が汚れてしまうという問題点があった。
【０００３】
【特許文献１】
特開平１０−８９７１３号公報
【特許文献２】
特開２００１−１２４３５５号公報
【０００４】
【課題を解決するための手段】
本発明は上記従来の問題点に鑑み案出したものであって、追焚き運転時などに洗濯機に追焚き水が流れ出してしまうことなく、必要な時に良好に浴槽水を洗濯機へ導くことのできる浴槽水活用装置、及び、注水運転時などに洗い場に注水が流れ出してしまうことなく、必要な時に良好に洗い場に浴槽水を流して洗い場を暖めることのできる浴槽水活用装置を提供せんことを目的とし、その第１の要旨は、浴槽内の水を吸引できる取水口と、該取水口と追焚き可能な給湯器を繋ぐ往復の配管にて構成された循環経路を備え、該循環経路の途中に、浴室に隣接する洗濯室に開口する給水口を設けるとともに、該給水口へ水を流す経路と前記循環経路へ水を流す経路とを切り替える切替機構部を設けたことである。
また、第２の要旨は、前記切替機構部は、前記循環経路のうち、取水口から給湯器へ水が流れる戻り側の経路に設けられていることである。
また、第３の要旨は、前記切替機構部は、浴槽内の水の通常使用時の水位よりも上側に設置されていることである。
また、第４の要旨は、前記切替機構部を操作する切替操作部が浴室外に設けられていることである。
また、第５の要旨は、浴槽内の水を吸引できる取水口と、該取水口と追焚き可能な給湯器を繋ぐ往復の配管にて構成された循環経路を備え、該循環経路の途中に、浴室の洗い場に開口する散湯口を設けるとともに、該散湯口へ水を流す経路と前記循環経路へ水を流す経路とを切り替える切替機構部を設けたことである。
また、第６の要旨は、前記切替機構部を操作する切替操作部が浴室外に設けられていることである。
また、第７の要旨は、前記切替機構部は、浴槽内の水の通常使用時の水位よりも下側で、浴室洗い場面より上側に設置されていることである。
また、第８の要旨は、前記散湯口が、浴室と隣室を繋ぐ部分のドア部材に設けられていることである。
また、第９の要旨は、前記散湯口が、浴室ドアの横に取り付け可能なドア横プレートに設けられていることである。
また、第１０の要旨は、前記切替機構部が、３方向に切り替え可能に構成されていることである。
【０００５】
【発明の実施の形態】
以下、本発明の実施例を図面に基づいて説明する。
図１は、浴槽水活用装置の配管構成を示すものであり、浴室１内に設けられた浴槽２の側壁面には取水口３が設けられており、この取水口３には循環経路８が接続されている。
循環経路８は、取水口３と、浴室壁１ａの外側の建物壁４の外側に設置された給湯器５とを結ぶ往き経路１０と、戻り経路９ａ，９ｂで構成されており、本例では、浴室１の隣室の洗濯室６の壁６ａに設けられた切替機構部２０と取水口３が戻り経路上流９ａで結ばれており、また、切替機構部２０と給湯器５が戻り経路下流９ｂで結ばれたものとなっている。
切替機構部２０は、内部に三方への切り替え経路及び弁が内蔵されており、洗濯室６側には、操作用の操作ハンドル２２が設けられているとともに、洗濯室６側に開口した給水口７が設けられ、さらに浴室の洗い場１ａへ湯を流すことのできる散湯口２１が設けられている。
【０００６】
図２の洗濯室側から見た斜視図で示すように、操作ハンドル２２は洗濯室６側から操作できるように配置されており、図２では、浴室１への出入り口を構成する引き戸１３ａを備えたドア一体パネル１３の下部に、切替機構部２０が取り付けられて、操作ハンドル２２が洗濯室６側に露出されている。また、洗濯室６側には給水口７が開口しており、この給水口７には、洗濯室６に設置された吸水ポンプ付き洗濯機１４の吸水ホース１５をカプラ等でワンタッチで着脱できるように構成されている。
【０００７】
なお、図１における分岐部８ａの拡大構成図を図３に示す。
このように戻り経路９ａ，９ｂは分岐部８ａで分岐されて、浴槽水が切替機構部２０に至るまで循環されるように構成されており、追焚き時等には、浴槽水を切替機構部２０まで循環させて、切替機構部２０及びその切替機構部２０に至るまでの配管を全て良好に洗浄等することができるように構成されている。
【０００８】
図４に斜視図で示すものは、開き戸１３ｂで構成されるドアの横側に、別体で取り付けられるドア横パネル１６に切替機構部２０を設けたものであり、循環経路８は浴槽２の側面に沿って配管されており、図５に示すように、エプロン２ａで配管を覆蓋できるものである。
エプロン２ａを取り付けた図５の状態で、エプロン２ａから切替機構部２０の散湯口２１が洗い場１ｂ側へ開口して、散湯口２１から洗い場１ｂに浴槽の湯を散湯することができるように構成され、ドア１３ｂの付近で湯が洗い場１ｂに散湯されるために、冬季等において良好に洗い場１ｂを暖めておくことができるものとなる。
【０００９】
次に、図６は、さらに異なる配置構成の浴室の斜視構成図であり、図６では、ドア１３ｂの横に別体で設けられたドア横パネル１６の下部に、散湯口２１を洗い場１ｂ側へ開口させて設けたものである。
なお、切替機構部２０は、図７に示すようにブロック状に形成されており、一面には、前記戻り経路上流９ａが接続される接続口２３と、戻り経路下流９ｂが接続される接続口２４が２個設けられており、９０°変位した面には散湯口２１が設けられている。
【００１０】
また、図７のＢ方向の矢視図を図８に示すが、接続口２３，２４と対向する面には、操作ハンドル２２と、その下方に給水口７が設けられている。
この操作ハンドル２２は、図９の正面図で示すように、追焚き，洗濯，洗い場の３方向に切り替え操作することができるように構成されている。
【００１１】
なお、前記図６に示したようなエルボ状の散湯口２１を切替機構部２０に設けても良く、その拡大図を図１１に示す。
なお、図１０の断面図で示すように、散水方向ガイド２５を設けておき、この散水方向ガイド２５を介して散湯口２１の方向を適宜回動させることができるように構成しておけば、洗い場１ｂの適所に湯を散湯させることができるものとなる。
【００１２】
なお、図１２の平面図で示す配管構成は、前記図４及び図５に斜視図で示した浴室に対応する配管構成であり、ドア横パネル１６に切替機構部２０を取り付けて、給水口７を洗濯室６側へ開口させ、しかも散湯口２１を浴室の洗い場１ｂ側へ開口させて良好に配置させておくことができるものである。
【００１３】
次に、図１３の平面図で示す配管構成は、前記図６に示した浴室に対応するものであり、ドア横パネル１６に切替機構部２０を取り付けて、洗濯室６側に給水口７を開口させ、洗い場１ｂ側に散湯口２１を開口させて設置できるものである。
【００１４】
さらに図１４の平面図で示すものは、浴室の入口ドアに片引き戸１７を用いたものであり、この片引き戸１７の横側に別体で取り付けられるドア横パネル１６に切替機構部２０を取り付けたものである。
【００１５】
次に、作用について説明すると、図１５の側面断面図及び図１６の正面断面図で示すものは、追焚き時の流れを示すものであり、この追焚き時には、図１７に示すように、切替機構部２０の操作ハンドル２２は追焚き側に切り替え操作されるものである。この状態では、図１７のように、戻り経路上流９ａと戻り経路下流９ｂが切替機構部２０内で連通された状態となり、給水口７及び散湯口２１は閉ざされた状態となる。
【００１６】
この状態では、給湯器５で沸かされた湯は、往き経路１０を通って取水口３から浴槽２内に入り追焚きされるとともに、取水口３から浴槽内の湯が戻り経路上流９ａを通り吸い出されて、切替機構部２０を通り、さらに戻り経路下流９ｂを通って給湯器５へ循環されるものである。
なお、この状態で、浴槽内に洗浄剤などを入れて、洗浄剤を経路９ａ，９ｂ，１０の配管内に循環させて、切替機構部２０内を含む全ての経路配管内を良好に洗浄することができるものとなる。
【００１７】
次に、図１８では、洗濯機側へ浴槽の湯を流す場合を示している。
即ち、洗濯機１４に設けられている吸水ポンプ１４ａを作動させることで、洗濯機１４内に給水口７から浴槽の湯を入れることができるものであり、この場合は、切替機構部２０の操作ハンドル２２は図１９に示すように洗濯側へ切り替えられるものである。
吸水ポンプ１４ａが作動されると、浴槽２内の湯は取水口３から戻り経路上流９ａを通って切替機構部２０に至り、切替機構部２０の給水口７から洗濯機の吸水ホース１５を通して洗濯機１４内に流入されるものである。
【００１８】
なお、操作ハンドル２２の操作は洗濯室６側から行なうことができ、浴室１内にドアを開けて入る必要がなく、操作が容易である。
また、切替機構部２０は、循環経路の戻り経路９ａ，９ｂの途中に設けられているため、操作ハンドル２２を洗濯側にしたまま追焚き運転がされても、追焚き循環水が洗濯機１４内に流れ込むことが良好に防がれるものである。
【００１９】
次に、図２０は、浴室の洗い場に散湯する場合の作用説明図であり、この場合は、図２１に示すように、操作ハンドル２２は洗い場側へ切り替えられるものであり、浴槽２内の湯が取水口３から戻り経路上流９ａを通って切替機構部２０内に入り、散湯口２１から浴室の洗い場１ｂに流されるものである。
このように、冬場等において、浴室内に入室する前に、洗濯室６側から操作ハンドル２２を洗い場側へ切り替え、暫くの間、浴槽２内の湯を洗い場１ｂに流して、洗い場１ｂを良好に暖めることができるものである。
【００２０】
次に、図２２の配管図、及び、図２３の洗濯室側から見た斜視図で示すものは、変更例であり、戻り経路上流９ａと戻り経路下流９ｂの途中に、２個の切替機構部２０ａ，２０ｂを上下に高さの異なる位置に配置させたものであり、この切替機構部２０ａ，２０ｂは、２方向に切り替えできる弁を内蔵したもので構成されている。
給水口７を備えた給水口切替機構部２０ａは、浴槽２内の通常の水位よりも高い上方の位置に設けられており、給水口７を開閉させることのできる２方向に操作する給水口操作ハンドル２２ａが設けられている。
また、散湯口２１を備えた散湯口切替機構部２０ｂは、浴槽２内の通常の水位よりも下側で、しかも洗い場１ｂ面よりも上側の位置に配置されており、散湯口操作ハンドル２２ｂが備えられて、散湯口２１を開閉操作できるように構成されている。
【００２１】
それぞれの操作ハンドル２２ａ，２２ｂは、図２３のように、洗濯室６側に露出しており、洗濯室６側からそれぞれ操作できるものである。
従って、洗濯機１４内に浴槽内の湯を入れる場合には、給水口７に吸水ホース１５を接続しておき、給水口操作ハンドル２２ａを開方向へ操作して、良好に浴槽の湯を洗濯機１４内に入れることができるものである。
また、浴室１内に入る前に、洗濯室６側から散湯口操作ハンドル２２ｂを開方向へ操作して、散湯口２１から洗い場１ｂに湯を流し、洗い場１ｂを予め暖めておくことができ、冬場等において、洗い場１ｂが暖かくなり、快適に浴室内に入室できるものとなる。
【００２２】
このように給水口切替機構部２０ａを浴槽２の水位より上側に配置した場合は、給水口操作ハンドル２２ａを開側にしたまま洗濯機１４の吸水ホース１５を外したような場合に、浴槽水が洗濯室６内に流れ出ることを良好に防ぐことができるものとなる。
また、散湯口切替機構部２０ｂを浴槽２の水位より下側に配置させることにより、ポンプなどの動力を使わずに、良好に浴槽内の湯を取水口３から洗い場１ｂに導くことができるものとなる。
【００２３】
さらに図２４に示すような配管構成とすることもでき、図２４では、循環経路８を洗濯室６の壁裏に配管させ、しかも壁の裏側に給湯器５を設けたものであり、戻り経路９ａ，９ｂの途中に、２方向に切り替えできる弁を内蔵した給水口切替機構部２０ａを設けて、この給水口切替機構部２０ａの操作ハンドル２２ａを洗濯室６の壁面に露出させたものである。
この給水口切替機構部２０ａに設けられた給水口７には、図２５で示すように、洗濯機１４の吸水ホース１５を着脱可能に接続することができ、また操作ハンドル２２ａを洗濯室６内で操作して洗濯側へ切り替え、洗濯機１４に設けられている吸水ポンプ１４ａを作動させることで、洗濯機１４内に給水口７から浴槽の湯を入れることができるものである。
【００２４】
【発明の効果】
本発明の浴槽水活用装置は、浴槽内の水を吸引できる取水口と、取水口と追焚き可能な給湯器を繋ぐ往復の配管にて構成された循環経路を備え、循環経路の途中に、浴室に隣接する洗濯室に開口する給水口を設けるとともに、給水口へ水を流す経路と循環経路へ水を流す経路とを切り替える切替機構部を設けたことにより、通常は追焚き循環経路として繋いでおき、追焚き，及び浴槽への注水，配管洗浄等をこの経路で行なうことができ、この場合、浴室に隣接する洗濯室に開口する給水口は切替機構部内で閉じられているため、追焚き運転時などに洗濯機に追焚き水が流れ出してしまうことはない。また、洗濯機に設けられたポンプにて浴槽水を汲み上げる場合は、切替機構部を洗濯室に開口する給水口側に切り替えて、良好に浴槽水を洗濯機に導くことができるものとなる。
【００２５】
また、切替機構部は、循環経路のうち、取水口から給湯器へ水が流れる戻り側の経路に設けられていることにより、給水口と取水口が繋がる構成となり、切替機構部を給水口側に開けたまま追焚き運転をした場合でも、追焚き循環水が洗濯機に流れ込むことを良好に防止できるものとなる。
【００２６】
また、切替機構部は、浴槽内の水の通常使用時の水位よりも上側に設置されていることにより、切替機構部を給水口側に開けたまま、給水口から洗濯機のホースを外した場合に、浴槽水が洗濯室側に流れ出ることを良好に防ぐことができるものとなる。
【００２７】
また、切替機構部を操作する切替操作部が浴室外に設けられていることにより、洗濯機使用時には、洗濯室側から切替機構部を給水口側に切り替え操作するだけで良く、浴室ドアを開けたり、浴室内に入室したりする必要がなく、操作が容易なものとなる。
【００２８】
また、浴槽内の水を吸引できる取水口と、取水口と追焚き可能な給湯器を繋ぐ往復の配管にて構成された循環経路を備え、循環経路の途中に、浴室の洗い場に開口する散湯口を設けるとともに、散湯口へ水を流す経路と循環経路へ水を流す経路とを切り替える切替機構部を設けたことにより、通常は追焚き循環経路として繋いでおき、追焚き，及び浴槽注湯，配管洗浄時には、この経路で行なうことができ、この場合、浴室内の洗い場に開口する散湯口は切替機構部内で閉じられているため、注水運転時等に洗い場に湯が流れ出してしまうことはない。また、切替機構部から散湯口までには配管が存在しないため、従来のように汚れた浴槽水で配管内部が汚れることがない。
【００２９】
また、切替機構部を操作する切替操作部が浴室外に設けられていることにより、入浴直前に、浴室外から浴室内の洗い場に浴槽水を流すことができ、冬場等において、予め洗い場を暖めて快適に浴室内に入室することができるものとなる。
【００３０】
また、切替機構部は、浴槽内の水の通常使用時の水位よりも下側で、浴室洗い場面より上側に設置されていることにより、浴槽水が取水口から散湯口を経由して洗い場に容易に流れ出ることができ、ポンプなどの動力を使わず、洗い場に浴槽水を良好に導くことができるものとなる。
【００３１】
また、散湯口が、浴室と隣室を繋ぐ部分のドア部材に設けられていることにより、浴室の入口のドア付近に良好に散湯することができるものとなる。
【００３２】
また、散湯口が、浴室ドアの横に取り付け可能なドア横プレートに設けられていることにより、ドア横プレートはドア本体とは別体のため、あらゆるドア（折り戸，親子開き戸，片引き戸，３枚引き戸等）に対応できるものとなる。
【００３３】
また、切替機構部が、３方向に切り替え可能に構成されていることにより、操作ハンドルの切り替えで、浴槽水を洗濯機に回収することもでき、また、浴槽水を洗い場に散湯することもでき、操作性が良好なものとなる。
【図面の簡単な説明】
【図１】浴槽水活用装置の配管構成図である。
【図２】図１の切替機構部を洗濯室側から見た斜視構成図である。
【図３】循環経路の分岐部の拡大配管図である。
【図４】切替機構部をドア横パネルに取り付けた場合の配管構成斜視図である。
【図５】図４の配管をエプロンで隠蔽させた状態の斜視構成図である。
【図６】ドア横パネルに散湯口を取り付けた場合の浴室の斜視構成図である。
【図７】切替機構部の斜視構成図である。
【図８】図７のＢ方向矢視図である。
【図９】切替機構部の正面構成図である。
【図１０】散湯口を回動可能にした場合の断面構成図である。
【図１１】散湯口の斜視拡大構成図である。
【図１２】図４，図５に対応した配管構成の平面構成図である。
【図１３】図６に対応した配管構成を示す平面構成図である。
【図１４】さらに異なる配管構成を示す平面構成図である。
【図１５】追焚き時の流れを示す配管構造の側面断面図である。
【図１６】図１５の正面配管構成図である。
【図１７】追焚き時における切替機構部の内部の流れを示す概略構成図である。
【図１８】洗濯機で吸水している時の湯の流れを示す正面配管構成図である。
【図１９】洗濯機で吸水する時の切替機構部の内部の流れを示す概略構成図である。
【図２０】洗い場に散湯する場合の流れを示す正面配管構成図である。
【図２１】洗い場に散湯する場合の切替機構部内の流れを示す概略構成図である。
【図２２】給水口用と散湯口用のそれぞれの切替機構部を設けた場合の配管構成図である。
【図２３】図２２の２つの切替機構部を洗濯室側から見た斜視構成図である。
【図２４】洗濯室の壁面に切替機構部を設けた場合の配管構成図である。
【図２５】図２４における切替機構部の拡大構成図である。
【符号の説明】
１  浴室
１ｂ  洗い場
２  浴槽
２ａ  エプロン
３  取水口
４  建物壁
５  給湯器
６  洗濯室
７  給水口
８  循環経路
９ａ  戻り経路上流
９ｂ  戻り経路下流
１０  往き経路
１３  ドア一体パネル
１４  洗濯機
１５  吸水ホース
１６  ドア横パネル
１７  片開き戸
２０  切替機構部
２０ａ  給水口切替機構部
２０ｂ  散湯口切替機構部
２１  散湯口
２２  操作ハンドル
２２ａ  給水口操作ハンドル
２２ｂ  散湯口操作ハンドル
２３，２４  循環路接続口
【図１】
2004308177.tif 000003
【図２】
2004308177.tif 000004
【図３】
2004308177.tif 000005
【図４】
2004308177.tif 000006
【図５】
2004308177.tif 000007
【図６】
2004308177.tif 000008
【図７】
2004308177.tif 000009
【図８】
2004308177.tif 000010
【図９】
2004308177.tif 000011
【図１０】
2004308177.tif 000012
【図１１】
2004308177.tif 000013
【図１２】
2004308177.tif 000014
【図１３】
2004308177.tif 000015
【図１４】
2004308177.tif 000016
【図１５】
2004308177.tif 000017
【図１６】
2004308177.tif 000018
【図１７】
2004308177.tif 000019
【図１８】
2004308177.tif 000020
【図１９】
2004308177.tif 000021
【図２０】
2004308177.tif 000022
【図２１】
2004308177.tif 000023
【図２２】
2004308177.tif 000024
【図２３】
2004308177.tif 000025
【図２４】
2004308177.tif 000026
【図２５】
2004308177.tif 000027